(57)【要約】      （修正有）【課題】簡単な構成で日常に飲食店や主婦などが貯蔵室内の食品の在庫と不足分の補充を管理するのに分り易くしかも手軽な表示器を有する冷蔵庫を提供する。【解決手段】裏面を磁性金属製の冷蔵庫表面に磁着する磁着面にし、表面をエンボス面にした表示板２０１〜２０３を各扉毎に磁着配置し、各表示板には、貯蔵室に収納する食材の品名・賞味期限を表示した透明又は不透明のラベル３００を添着・剥離可能に貼り付けたことを特徴とする冷蔵庫である。【選択図】図１
0003226864.tif 000002
【実用新案登録請求の範囲】
【請求項１】
裏面を磁性金属製の冷蔵庫表面に磁着する磁着面にし、表面をエンボス面にした表示板を各扉毎に磁着配置し、前記各表示板には、当該貯蔵室に収納する食材の品名・賞味期限を表示したラベルを添着・剥離可能に貼り付けたことを特徴とする冷蔵庫。
【考案の詳細な説明】
【技術分野】
【０００１】  本考案は、実際の冷蔵庫のイメージに合致し、庫内収容品の品名・賞味期限を表示して使い勝手と節電を向上させた表示板付きの冷蔵庫に関する。
【背景技術】
【０００２】  冷蔵庫は、本来食品を長期間保存できるようにしたものであるが、食品の種類によっては保存期限や賞味期限があり、保存経過日数を忘れてそのままに放置されると、食品が腐敗して食品を無駄にすることがある。【０００３】  これ等を改善する為、従来は特許文献１にて紹介のように冷蔵庫の中の食品の在庫を扉の表に食品を描いた小さな表示パネルを配列し、このパネルのランプの色を点灯及び消灯操作で在庫の有無を確認することが出来るようにした冷蔵庫在庫表示器がある。【０００４】  また特許文献２にて紹介の冷蔵庫は、「冷蔵庫に収容する食品名および料理メニューに関する選定条件を入力する入力部と、前記入力部からの情報でメニューに必要な材料を記憶する記憶部と、該入力部からの料理メニューを対話選択する表示器と、これらを制御し、在庫食品データと料理メニュー材料データを比較して、在庫食品で料理できる料理メニューを選択表示する演算制御部とを備えた冷蔵庫」がある。【０００５】  特許文献３にて紹介の冷蔵庫は、「冷蔵庫などの日用品収納庫１２内に、日用品の有無や日用品の重量を検出するセンサ３１を設け、センサ３１により日用品がなくなったことが、あるいは日用品の重量が所定値を下回った場合に、店舗サーバ２４に対して当該日用品を注文する。また、日用品が収納されてからの時間を判別し、これに基づいて食料品の残消費期限を判別、消費期限切れが近づいた食料品についても自動的な注文を行うもの。」がる。【０００６】このように従来における冷蔵庫の在庫管理は、電気的表示器、コンピュータによる複雑な演算制御手段など、専門的知識を必要とし且つ複雑で煩雑な操作を必要とする業務用が主体でも高額でありまた一般家庭の主婦向きではない。
【先行技術文献】
【特許文献】
【０００７】
【特許文献１】特開１９９０−１００８１号公報
【特許文献２】特開１９５８−６５２７６号公報
【特許文献３】特開２０００−２９６９０４号公報
【考案の開示】
【考案が解決しようとする課題】
【０００８】  本考案は、簡単な構成で日常に飲食店や主婦などが貯蔵室内の食品の在庫と不足分の補充を管理するのに分り易くしかも手軽な表示器を有する冷蔵庫を提供するものである。
【課題を解決するための手段】
【０００９】  本考案は、前記した課題に適応する優れた冷蔵庫でありその技術的特徴は、次の（１）の通りである。
（１）、裏面を磁性金属製の冷蔵庫表面に磁着する磁着面にし、表面をエンボス面にした表示板を各扉毎に磁着配置し、前記各表示板には、当該貯蔵室に収納する食材の品名・賞味期限を表示したラベルを添着・剥離可能に貼り付けたことを特徴とする冷蔵庫。
【考案の効果】
【００１０】  本考案の冷蔵庫は磁性金属製であり、購入した食品を各貯蔵室に入庫する前に、当該食材に添付の品名・賞味期限を表したラベルを、エンボス面にした当該磁着製の表示板に着脱自在に例えば賞味期限順に貼ることにより、冷蔵庫内の食品の有無と品名・賞味期限を目視することが出来、冷蔵庫に収納後の食材の在庫を庫内を見ずして各貯蔵室毎に一目で判別することができ、出し入れしたい食材を簡単に選択することができるので、食品を腐敗させる等の無駄にすることなく賞味期限内の適正利用を可能にし、且つ食品の補充も円滑タイムリーに可能にする。更に食材を出し入れする頻度を極力少なくして合理的に節電することも可能にしたものである。
前記ラベルを貼る表示板は裏面を磁着面にした例えば磁粉混入ラバーのため冷蔵庫の扉表面に任意に磁着配置することが出来、しかも表示板の表面は書き込みも可能にした白色の凹凸面のエンボス面にすれば、処分済みの賞品の不要シールは簡単に剥し破棄することが出来る等々利便性のある手段であり、特に食品を扱う飲食店や家庭の主婦に好適である。
【図面の簡単な説明】
【００１１】
【図１】本考案の実施例を示す冷蔵庫の正面側から見た斜視説明図である。
【図２】図１に示す表示板の拡大説明図である。
【考案を実施するための態様】
【００１２】  本例の冷蔵庫１００は複数の貯蔵室１０１〜１０３の各扉１０４〜１０６に磁着式の表示板２０１〜２０３を磁着してある。
各表示板２０１〜２０３は、裏面を磁性金属の冷蔵庫表面に磁着する磁着面２０１−１〜２０３−３にし、表面を白色のエンボス面２０１−４〜２０３−６にしたものである。
複数の貯蔵室１０１〜１０３は、上から一段目の貯蔵室１０１をトウフや納豆などの加工食品用とし、二段目の貯蔵室１０２を冷凍食品用とし、三段目の貯蔵室１０３を野菜・根菜、果物などの青果物用としてある。
この各貯蔵室１０１〜１０３の扉１０４〜１０６に磁着した前記表示板２０１〜２０３は、当該貯蔵室内に収容してある食品の品名・賞味期限を表示した透明又は不透明等のラベル３００を添着して在庫を表示する。
表示板２０１〜２０３に添着したラベル３００はその表示食品が調理済みになれば簡単に剥して破棄し存在していなく必要に応じて補充することを示唆する。
このシール剥しは添着面がエンボス面２０１−４〜２０３−６であるので実質添着部が点在するため簡単に可能である。図中Ｄ１〜Ｄ３は各扉１０４〜１０６の開閉用の取っ手である。
【００１３】  これで貯蔵室１０１〜１０３の収容食品は、庫内の各貯蔵室内の食品在庫とそれらの賞味期限が表示板２０１〜２０３により一目瞭然に確認することが可能になった。
このため冷蔵庫１００の各貯蔵室１０１〜１０３から出し入れしたい食材を扉１０４〜１０６を開ける前に簡単に選択することができるので、食品を腐敗させる等の無駄にすることなく賞味期限内の適正利用処分を可能にし、且つ食品の補充も円滑タイムリーに可能にする。更に食材を出し入れする頻度を極力少なくして合理的に節電することも可能にした。
尚、本例の表示板２０１〜２０３のエンボス面２０１−４〜２０３−６は白色で凸面及び凹面が直径０．５〜１．５ｍｍの微細な凹凸プレス加工したため白板として該シール３００に代わり水彩ペンで手書きで食品名と賞味期限を記載することも自在である。
【産業上の利用可能性】
【００１４】  本考案は前述の優れた作用効果を呈する為、一般家庭の主婦は勿論食品と扱う飲食店及び冷蔵庫業界にも貢献すること多大なものである。
【符号の説明】
【００１５】１００：冷蔵庫
１０１〜１０３：貯蔵室
１０４〜１０６：扉
２０１〜２０３：表示板
２０１−１〜２０３−３：磁着面
２０１−４〜２０３−６：エンボス面
３００：ラベル
Ｄ１〜Ｄ３：取っ手
【図１】
0003226864.tif 000003
【図２】
0003226864.tif 000004